(57)【要約】【課題】針釘の提供。【解決手段】本考案の新型針釘は主に、棒体、および棒体両端から外部に延ばす針脚部より構成する。そのうち、針脚部に傘歯形を設け、傘歯形に棒体方向に向かって、棒体と平行に設ける係止め面を設ける。この係止め面と反対方向に設ける環状錐面を設け、針釘を打ち込めた後、より良い安定性を提供するほか、振動などの外部要因による弛めを避ける。さらに、棒体に平坦部と鋭い部を設け、釘針を二つの接合部材に打ち込むとき、二つの接合部材を安定に接合し、滑り移動を避ける。【選択図】図２
0003122233.tif 000002
【実用新案登録請求の範囲】
【請求項１】
棒体、および棒体両端に延ばしてした針脚部より構成し、針脚部に複数の傘歯形を設け、すべての傘歯形に棒体方向と平行した係止め面を設けて、係止め面の反対方向に環状錐面を設けることを特徴とする釘針。
【請求項２】
請求項１記載の釘針において、棒体表面に針脚部と反対方向に平坦部を設け、針脚部と同じ方向に鋭い部を設けることを特徴とする釘針。
【請求項３】
請求項１記載の釘針において、棒体の断面は三角形であることを特徴とする釘針。
【考案の詳細な説明】
【技術分野】
【０００１】
本考案は一種の釘針構造、特に一種の二つの接合部材を安定に固定し、弛めによる離脱を避けることができる。
【背景技術】
【０００２】
図１に示すとおり、公知技術の釘針１は、棒体１１、および棒体１１両端に棒体１１と９０度を呈した針脚部１２より構成する。棒体１１と針脚部１２の周縁は滑り表面を有する円柱体を設け、使用のとき、棒体１１に直接力量を掛けて、針脚部１２を二つの接合部材２に打ち込み、針脚部１２が完全に打ち込まれた後、二つの接合部材２を確実に掛けて、一体化にする。
【０００３】
しかしながら、釘針１使用後に以下の問題が発生する。
１. 棒体１１は滑り表面の円柱体であり、釘ガンまたはハンマーなどの工具を使用しても、力量を棒体１１へ有効に働くことができないため、釘針１に対する圧迫力が不足し、針脚部１２を打ち込み速度を遅くさせるほか、釘針１の打ち込み方向に偏りがあると、釘針１を垂直に二つの接合部材２に打ち込むことができない。針脚部１２の曲げにより釘針１を打ち込んだ後の結合効果が減少される。
さらに、釘針１を打ち込んだ後、棒体１１は滑り表面のため、棒体１１を二つの接合部材２へ完全に打ち込むことができない。棒体１１は二つの接合部材２に止まり、外力の振動などにより、釘針１は二つの接合部材２をしっかり固定できたいため、二つの接合部材２の間に滑りや弛むなどを引き起し、二つの接合部材２間の接合効果に影響する。
２. 針脚部１２は滑り表面の円柱体であるため、針脚部１２を打ち込まれた後、部材２との接合力が良くない。部材２は外部の振動などの影響で、二つの接合部材２は横向きと縦向きの作用力量により、横方向と縦方向に揺れて、針脚部１２が二つの接合部材２から抜け出す恐れがある。よって、公知技術の釘針１の接合効果が良くない。
【考案の開示】
【考案が解決しようとする課題】
【０００４】
本考案の主な目的は、一種の釘針を提供し、使用することにより、弛むまたは抜け出しを防止できるほか、打ち込まれた後、二つの接合部材を安定に固定し、滑り移動しない。
【０００５】
前記の目的を達成するため、本考案は主に、棒体、および棒体両端から外部に延ばす針脚部より構成する。針脚部に傘歯形を設け、釘針を部材に打ち込んだ後、確実に接合できるため、外部の振動などに影響を受けない。二つの接合部材間の接合効果を確保する。
【課題を解決するための手段】
【０００６】
請求項１の考案は、棒体、および棒体両端に延ばしてした針脚部より構成し、針脚部に複数の傘歯形を設け、すべての傘歯形に棒体方向と平行した係止め面を設けて、係止め面の反対方向に環状錐面を設けることを特徴とする釘針としている。
請求項２の考案は、請求項１記載の釘針において、棒体表面に針脚部と反対方向に平坦部を設け、針脚部と同じ方向に鋭い部を設けることを特徴とする釘針としている。
請求項３の考案は、請求項１記載の釘針において、棒体の断面は三角形であることを特徴とする釘針としている。
【考案の効果】
【０００７】
本考案の新型針釘は主に、棒体、および棒体両端から外部に延ばす針脚部より構成する。そのうち、針脚部に傘歯形を設け、傘歯形に棒体方向に向かって、棒体と平行に設ける係止め面を設ける。この係止め面と反対方向に設ける環状錐面を設け、針釘を打ち込めた後、より良い安定性を提供するほか、振動などの外部要因による弛めを避ける。さらに、棒体に平坦部と鋭い部を設け、釘針を二つの接合部材に打ち込むとき、二つの接合部材を安定に接合し、滑り移動を避ける。
【考案を実施するための最良の形態】
【０００８】
図２に示すものは、本考案の釘針３の一好ましい実施例である。主に棒体３１、および棒体３１両端に延ばした針脚部３２より構成する。針脚部３２はこの図において、棒体３１に対して９０度方向に設け、針脚部３２上に複数の傘歯形３２１を設け、すべての傘歯形３２１も棒体３１に向かって、棒体３１と平行した係止め面３２２を設け、係止め面３２２の反対方向に環状錐面３２３を設ける。
【０００９】
図３に示すとおり、使用するとき、釘針３を二つの接合部材４上部に置き、棒体３１に力量を加えて、針脚部３２を打ち込む、針脚部３２が完全に打ち込まれた後、針脚部３２は部材４内部の木材繊維の弾性回復働きにより、針脚部３２の傘歯形３２１を包囲し、係止め面３２２の係止めにより針脚部３２を部材４内部に係止めて、ゆるむまた抜け出す防止効果を実現する。
【００１０】
図４に示すものは、本考案のもう一つの好ましい実施例である。主に棒体３１、および棒体３１両端から外部に延ばす針脚部３２より構成する。部品と構造とも実施例１に同様のため、詳細説明を省略する。この棒体３１表面に針脚部３２と同じ方向の鋭い部３１１、および針脚部３２の反対方向に平坦部３１２をそれぞれに設けることによって、棒体３１の断面を本実施例に示す三角形態様を形成する。
【００１１】
使用するとき、針脚部３２を打ち込まれた後、部材４内部の木材繊維の包囲力により、部材４内部に係止められ、ゆるむや抜け出す防止効果がある。さらに、棒体３１の鋭い部３１１を二つの接合部材４表面に打ち込み、棒体３１を二つの接合部材４の内部に収容させる。このため、外力の振動などがあっても釘針３はなお二つの接合部材４に確実に固定でき、二つの接合部材４が滑り移動を防止し、二つの接合部材４間の結合効果を向上できる。
【００１２】
前記の説明により、本考案と公知技術のものと比較すると、本考案は以下の長所と効果あることが分かる。
１. 針脚部３２上に傘歯形３２１の突き出し構造により、針脚部３２を打ち込んだ後、二つの接合部材４感の接合力量をより確実にし、外力の振動などがあっても針脚部３２は弛むにより二つの接合部材４から抜け出すことがなく、二つの接合部材４の分離を防止できる。
２. 棒体３１は鋭い部３１１と平坦部３１２より構成するため、工具で打ち込むとき、すべての力量が棒体３１に働き、釘針３の針脚部３２を素早く打ち込み、釘針３に対する偏り力量により、針脚部３２を二つの接合部材４へ垂直に打ち込むことができる。針脚部３２の曲げを避ける。
【００１３】
さらに、釘針３を打ち込んだ後、棒体３１の鋭い部３１１は二つの接合部材４へ完全に打ち込むことができる。外力の振動などがあっても、釘針３はなお二つの接合部材４を確実に固定できるため、二つの接合部材４間の滑り移動が発生しない。二つの接合部材４間の安定接合効果を向上できる。
【００１４】
前記した本考案は針脚部の傘歯形構造により、釘針を打ち込んだ後、抜け出す防止効果を有するほか、棒体の平坦部と鋭い部を設けて、二つの接合部材の抜け出しや移動を防止できるため、本考案の目的を確実に実現できる。
【図面の簡単な説明】
【００１５】
【図１】公知技術の釘針の使用態様図である。
【図２】本考案の好ましい実施例の立面図である。
【図３】本考案の好ましい実施例における釘針を部材に打ち込まれたときの断面図である。
【図４】本考案もう一つの好ましい実施例の使用態様図である。
【符号の説明】
【００１６】
３  釘針
３１  棒体
３１１  鋭い部
３１２  平坦部
３２  針脚部
３２１  傘歯形
３２２  係止め面
３２３  円錐面
４  部材
【図１】
0003122233.tif 000003
【図２】
0003122233.tif 000004
【図３】
0003122233.tif 000005
【図４】
0003122233.tif 000006